(57)【要約】      （修正有）【課題】十分な大きさの筆記音を筆記者にフィードバックすることが可能な筆記具を実現する。【解決手段】筆記を行うための機能を具現する筆記芯１１を有した筆記具本体１と、前記筆記具本体１に設けられ、前記筆記芯１１に直接にまたは他の部材を介して間接に接触している部材に接触し、筆記の際に生じる振動が当該筆記芯または当該部材から伝わり、その振動を電気信号に変換する変換手段と、前記筆記具本体１に設けられ、前記変換手段により得られる電気信号を増幅する増幅手段３と、前記筆記具本体１に設けられ、前記増幅手段３により増幅される電気信号を振動に変換し音として出力する音声出力手段４とを具備する筆記具を構成した。【選択図】図１
2018167460.tif 000002
【特許請求の範囲】
【請求項１】
筆記を行うための機能を具現する筆記芯を有した筆記具本体と、
前記筆記具本体に設けられ、前記筆記芯に直接にまたは他の部材を介して間接に接触し、筆記の際に生じる振動が当該筆記芯または当該部材から伝わり、その振動を電気信号に変換する変換手段と、
前記筆記具本体に設けられ、前記変換手段により得られる電気信号を増幅する増幅手段と、
前記筆記具本体に設けられ、前記増幅手段により増幅される電気信号を振動に変換し音として出力する音声出力手段と
を具備する筆記具。
【請求項２】
前記筆記具本体が、筆記を行う者の手指により把持されるとともに前記筆記芯または前記部材を包有する軸筒を備えており、
前記筆記芯または前記部材に、他の部分と比較して外径が太い拡径部が形成されており、
前記変換手段において筆記の際に生じる振動を受ける要素を、前記拡径部に接触させた状態で前記軸筒内に収容した請求項１記載の筆記具。
【請求項３】
前記筆記具本体が、筆記を行う者の手指により把持されるとともに前記筆記芯または前記部材を包有する軸筒を備えており、
前記変換手段において筆記の際に生じる振動を受ける要素を、前記筆記芯または前記部材と前記軸筒の内周との双方に接触させた状態で軸筒内に収容した請求項１記載の筆記具。
【請求項４】
前記筆記芯が、万年筆のペン先及びペン芯を含んでおり、
前記変換手段において筆記の際に生じる振動を受ける要素を、前記ペン先に接触させて配置した請求項１記載の筆記具。
【請求項５】
前記筆記具本体が、筆記を行う者の手指により把持される軸筒を備えており、
前記音声出力手段を前記軸筒内に収容し、
前記軸筒における、前記音声出力手段の表面側に臨み、当該音声出力手段の表面側から出力される音が伝搬する空間領域に面する箇所に軸筒を貫通する放音孔が穿たれ、
なおかつ、前記軸筒内の前記音声出力手段の裏面側に臨む空間領域と、前記音が伝搬される空間領域との間に、両者を遮蔽する遮蔽壁が設けられている請求項１、２、３または４記載の筆記具。
【発明の詳細な説明】
【技術分野】
【０００１】
本発明は、筆記を行うための筆記具に関し、特に、筆記に伴い発生する筆記音を筆記具を使用している筆記者の聴覚にフィードバックすることのできる筆記具に関する。
【背景技術】
【０００２】
一般的な紙とペンの組み合わせで生じる筆記音に着目し、筆記音を筆記者の聴覚にフィードバックした場合、筆記音をフィードバックせず遮音する場合と比較して、単純な筆記作業（漢字のなぞり書き）がよりはかどるという実験結果が得られている（下記非特許文献１を参照）。
【０００３】
筆記音を筆記者にフィードバックする機能を筆記具に付与するためには、筆記具の後端部にマイクロフォンを設置し、空気中を伝搬する筆記音をこのマイクロフォンで集音し、増幅回路で増幅した上でスピーカから出力することが考えられる（下記特許文献１を参照）。
【０００４】
しかしながら、実際には、上述の構成の筆記具により筆記者の耳に聞こえるのに十分な大きさの筆記音を出力することは難しい。筆記具の筆先において発生する筆記音を筆記具の後端部に所在するマイクロフォンで集音しようとしても、極めて微弱な音しか得ることができない。そして、スピーカから放たれる筆記音を大きくしようとして、増幅回路の利得を高く設定すると、スピーカから出力された音が空気中を伝搬した後再びマイクロフォンを介して入力される正帰還が起こり、その結果としてハウリングを惹起する懸念がある。
【先行技術文献】
【特許文献】
【０００５】
【特許文献１】特開２００１−２１５８６８号公報
【非特許文献】
【０００６】
【非特許文献１】金ジョンヒョン、橋田朋子、大谷智子、苗村健、“筆記音のフィードバックが筆記作業に与える影響について”、情報処理学会インタラクション２０１２、情報処理学会、平成２４年３月１５日、ｐ．４４５−４５０
【発明の概要】
【発明が解決しようとする課題】
【０００７】
本発明は、十分な大きさの筆記音を筆記者にフィードバックすることが可能な筆記具を実現しようとするものである。
【課題を解決するための手段】
【０００８】
本発明では、筆記を行うための機能を具現する筆記芯を有した筆記具本体と、前記筆記具本体に設けられ、前記筆記芯に直接にまたは他の部材（この部材が、接続した複数の部品からなることがある）を介して間接に接触している部材に接触し、筆記の際に生じる振動が当該筆記芯または当該部材から伝わり、その振動を電気信号に変換する変換手段と、前記筆記具本体に設けられ、前記変換手段により得られる電気信号を増幅する増幅手段と、前記筆記具本体に設けられ、前記増幅手段により増幅される電気信号を振動に変換し音として出力する音声出力手段とを具備する筆記具を構成した。
【０００９】
より具体的には、前記筆記具本体が、筆記を行う者の手指により把持されるとともに前記筆記芯または前記部材を包有する軸筒を備えており、前記筆記芯または前記部材に、他の部分と比較して外径が太い拡径部が形成されており、前記変換手段において筆記の際に生じる振動を受ける要素を、前記拡径部に接触させた状態で前記軸筒内に収容したものとすることが好ましい。
【００１０】
あるいは、前記筆記具本体が、筆記を行う者の手指により把持されるとともに前記筆記芯または前記部材を包有する軸筒を備えており、前記変換手段において筆記の際に生じる振動を受ける要素を、前記筆記芯または前記部材と前記軸筒の内周との双方に接触させた状態で軸筒内に収容したものとすることも好ましい。
【００１１】
前記筆記芯が、万年筆のペン先及びペン芯を含んでいる場合には、前記変換手段において筆記の際に生じる振動を受ける要素を、前記ペン先に接触させて配置することが考えられる。
【００１２】
前記筆記具本体が、筆記を行う者の手指により把持される軸筒を備えており、前記音声出力手段を前記軸筒内に収容し、前記軸筒における、前記音声出力手段の表面側に臨み、当該音声出力手段の表面側から出力される音が伝搬する空間領域に面する箇所に軸筒を貫通する放音孔が穿たれており、なおかつ、前記軸筒内の前記音声出力手段の裏面側に臨む空間領域と、前記音が伝搬される空間領域との間に、両者を遮蔽する遮蔽壁が設けられていれば、音声出力手段の裏面側に放たれる逆位相の筆記音が同音声出力手段の表面側に放たれる正位相の筆記音と打ち消し合うことを抑制することができる。
【発明の効果】
【００１３】
本発明によれば、十分な大きさの筆記音を筆記者にフィードバックすることが可能な筆記具を実現することが可能である。
【図面の簡単な説明】
【００１４】
【図１】本発明の一実施形態の筆記具の縦断面図。
【図２】同実施形態の筆記具の要部斜視図。
【図３】本発明の一変形例の筆記具の要部縦断面図。
【図４】同変形例の筆記具の横断面図。
【図５】同変形例の筆記具の横断面図。
【図６】本発明の一変形例の筆記具の要部縦断面図。
【図７】本発明の一変形例の筆記具に実装するスイッチ回路を示す図。
【図８】本発明の一変形例の筆記具に実装するノック機構及びこれに連動するスイッチを示す要部縦断面図。
【図９】同変形例の筆記具に実装するノック機構及びこれに連動するスイッチを示す要部縦断面図。
【図１０】本発明の一変形例の筆記具に実装するノック機構及びこれに連動するスイッチを示す要部縦断面図。
【図１１】本発明の一変形例の筆記具の軸筒の回動操作に連動するスイッチを示す横断面図。
【発明を実施するための形態】
【００１５】
本発明の実施の形態を、図面を参照して説明する。図１及び図２に示す本実施形態の筆記具は、筆記を行うための機能を具現する筆記芯１１を有した筆記具本体１と、筆記具本体１に内蔵された変換手段２、増幅手段３及び音声出力手段４とを具備しており、筆記に伴い発生する筆記音を増幅した上で出力し、当該筆記具を使用する筆記者の聴覚にフィードバックすることができるものである。
【００１６】
図１及び図２に示している筆記具は、ボールペンである。この筆記具の筆記芯１１は、インキを充填した容器の先端部位に、インキを紙等に転写するためのボールを包有する筆記機構部を取り付けてなるリフィルである。リフィル１１は、変換手段２、増幅手段３及び音声出力手段４とともに、筆記具本体１のケーシングであり筆記者の手指により把持される軸筒１２の内に収容される。
【００１７】
変換手段２は、筆記芯１１に直接または間接に接触し、筆記の際に生じる振動を電気信号に変換する。本実施形態では、変換手段２として、ピエゾ素子（圧電素子）を採用している。このピエゾ素子２は、薄板状の誘電体２１に薄板状の金属電極２２を貼り合わせ、それら誘電体２１及び電極２２の各々に電線を接続した既知のもので、誘電体２１が変形するときに二本の電線の間に電位差即ち電気信号が生じる。
【００１８】
本実施形態の筆記具の筆記芯たるリフィル１１は、軸筒１２の軸心Ｌ方向に沿って伸長している。その上で、この筆記芯１１に、他の部分と比較して外径が太い拡径部１１１を形成している。拡径部１１１は、インキを保持する細長い筒状の容器の一部を軸心Ｌ方向と直交する径方向に沿って拡径させるようにして容器に一体的に成形してもよいし、容器の外周に環状の部材を嵌め付けることで形成してもよい。また、筆記芯１１自体にではなく、筆記芯１１に接触しかつ軸心Ｌ方向に沿って伸長する部材に拡径部を形成しても構わない。
【００１９】
変換手段たるピエゾ素子２は、その端部を軸筒１２の内周に接触させ、その中間部を筆記芯１１の拡径部１１１に接触させるようにして軸筒１２内に配置する。この変換手段２は、軸心Ｌ方向に対して非平行に傾斜した方向を向く。これにより、筆記具を使用した筆記の際に生じる振動を、筆記芯１１に形成した拡径部１１１から、空気を介することなく直に変換手段２に伝達することができる。そして、その振動、特に筆記芯１１の伸長する軸心Ｌ方向に沿った振動を、変換手段２において効果的に電気信号に変換することが可能となる。
【００２０】
増幅手段３は、変換手段２により得られる電気信号を電気的に増幅する。増幅手段３は、オペアンプを用いた既知の増幅回路を含む。
【００２１】
音声出力手段４は、増幅手段３により増幅される電気信号を振動に変換し音として出力する。本実施形態では、音声出力手段４として、平板状の振動板を有し、全体形状も平板な既存のマイクロスピーカを採用している。この音声出力手段４はダイナミックスピーカであり、表面側に正位相の音を放つとともに、裏面側に逆位相の音を放つ。
【００２２】
筆記の際に発生する筆記音は、筆記芯１１に接触している変換手段２に機械的に伝達され、増幅手段３において増幅された上で音声出力手段４から出力されて、筆記具を使用している筆記者の聴覚に伝わる。音声出力手段４を筆記具本体１の軸筒１２内に収容していることから、軸筒１２には、当該軸筒１２の内部と外部とを連通させる貫通した放音孔１２３を穿ってある。放音孔１２３は、筆記の際に筆記者の手指が接触しない（筆記者の手指により塞がれない）部位、例えば筆記具本体１の軸筒１２の中間ないし後端（筆記芯１１が露出する先端側と反対側）の部位に形成することが好ましい。放音孔１２３は、音声出力手段４の表面側に臨む空間領域、即ち音声出力手段４の表面側から出力される正位相の音が伝搬する空間領域に面する箇所に所在し、音声出力手段４から出力される音を軸筒１２の外部へと放射する役割を担う。
【００２３】
また、音声出力手段４の裏面側からは、逆位相の音が出力される。この逆位相の音が、音声出力手段４の表面側から出力される正位相の音に重畳されると、双方の音が打ち消し合い、筆記者の耳に届く筆記音が小さくなってしまう。そこで、図１及び図２に示しているように、本実施形態では、軸筒１２内における、音声出力手段４の表面側に臨む空間領域と、同音声出力手段４の裏面側に臨む空間領域との間に、遮蔽壁１３を設けている。遮蔽壁１３は、軸心Ｌ方向に沿って対向するように一対存在し、それらが音声出力手段４及び当該音声出力手段４の表面側に臨む空間領域を挟み込んでいる。遮蔽壁１３は、音声出力手段４の側方から軸筒１２の内周に向かって拡張し、その軸筒１２の内周に当接ないし極近接している。これにより、音声出力手段４の表面側に臨む空間領域、即ち正位相の振動音が伝搬する空間領域を、音声出力手段４の裏面側に臨む空間領域、即ち逆位相の振動音が伝搬する空間領域から隔絶することができる。
【００２４】
増幅手段３の電源となる電池５は、例えば一個ないし直列接続した複数個のボタン電池５である。電池５もまた、筆記具本体１の軸筒１２内に収容される。本実施形態では、軸筒１２が複数個の部品に分割されており、筆記芯１１、変換手段２、増幅手段３及び音声出力手段４はその一方即ち先端側の部品１２１に収容され、電池５は他方即ち後端側の部品１２２に収容される。これらの部品１２１、１２２は、各々に形成された雄ねじと雌ねじとの螺合により結合される。
【００２５】
電池５から増幅手段３に電力を供給するための電気回路上には、当該電気回路を開閉するためのスイッチとして、リードスイッチ６を設けている。リードスイッチ６は、筆記具本体１の軸筒１２に支持させてある。これに対し、筆記具本体１に装着可能なキャップ７には、磁石７１を取り付けている。図１に示しているように、筆記具の使用時に、キャップ７を筆記具本体１の軸筒１２の後端部に装着すると、キャップ７の磁石７１と軸筒１２のリードスイッチ６とが近接し、リードスイッチ６が導通状態となって、電池５から増幅回路に電力が供給される。キャップ７を軸筒１２の後端部から離脱させれば、キャップ７の磁石７１が軸筒１２のリードスイッチ６から離間し、リードスイッチ６が開放状態となって、電池５から増幅回路への電力の供給が遮断される。このように、本実施形態の筆記具では、キャップ７を用いて、筆記音のフィードバック機能のＯＮ／ＯＦＦを切り替えることが可能となっている。キャップ７は、筆記具の非使用時において軸筒１２の先端部に装着し、当該軸筒１２の先端側に露出する筆記芯１１を被覆することができる。
【００２６】
本実施形態では、筆記を行うための機能を具現する筆記芯１１を有した筆記具本体１と、前記筆記具本体１に設けられ、前記筆記芯１１に直接にまたは他の部材を介して間接に接触し、筆記の際に生じる振動が当該筆記芯１１または当該部材から伝わり、その振動を電気信号に変換する変換手段２と、前記筆記具本体１に設けられ、前記変換手段２により得られる電気信号を増幅する増幅手段３と、前記筆記具本体１に設けられ、前記増幅手段３により増幅される電気信号を振動に変換し音として出力する音声出力手段４とを具備する筆記具を構成した。本実施形態によれば、十分な大きさの筆記音を筆記者にフィードバックすることが可能となる。
【００２７】
また、前記筆記具本体１が、筆記を行う者の手指により把持されるとともに前記筆記芯１１または前記部材を包有する軸筒１２を備えており、前記筆記芯１１または前記部材に、前記軸筒１２の軸心Ｌ方向に沿って伸長し、他の部分と比較して外径が太い拡径部１１１が形成されており、前記変換手段２において筆記の際に生じる振動を受ける要素を、前記拡径部１１１に接触させた状態で前記軸筒１２内に収容したものとしており、筆記具を使用した筆記の際に生じる振動を、変換手段２において効果的に電気信号に変換することができる。
【００２８】
さらに、前記音声出力手段４を前記軸筒１２内に収容し、前記軸筒１２における、前記音声出力手段４の表面側に臨み、当該音声出力手段４の表面側から出力される音が伝搬する空間領域に面する箇所に軸筒１２を貫通する放音孔１２３が穿たれ、なおかつ、前記軸筒１２内の前記音声出力手段４の裏面側に臨む空間領域と、前記音が伝搬される空間領域との間に、両者を遮蔽する遮蔽壁１３が設けられているため、音声出力手段４の裏面側に放たれる逆位相の筆記音が同音声出力手段４の表面側に放たれる正位相の筆記音と打ち消し合うことを抑制できる。
【００２９】
なお、本発明は以上に詳述した実施形態に限られるものではない。特に、筆記具の種類は、ボールペンには限定されない。換言すれば、筆記芯１１は、ボールペンのリフィルであるとは限らない。筆記具がシャープペンシルである場合には、筆記芯が鉛筆芯１４であり、鉛筆芯１４を繰り出して筆記具本体１の先端部から突出させるための機構１５を筆記芯１４とともに軸筒１２に収容することになる。
【００３０】
図３ないし図５に、シャープペンシルの例を示している。図示例のシャープペンシルにおける筆記芯１４を繰り出す機構１５それ自体は、既存のシャープペンシルと同様のものである。概説すると、この機構１５にあっては、先端側が三つに分かたれているチャック１５１の後端部を筒状の芯容器１５２の前端部の内側に挿入して固着し、かつチャック１５１の先端部に締具１５３をチャック１５１の外側から嵌め付ける。さらに、締具１５３を受ける円板状の連結具１５４をチャック１５１を取り囲むように配置して固定し、この連結具１５４の後向面と芯容器１５２の前端部の前向面との間にスプリング１５５を配置する。チャック１５１及び芯容器１５２は、スプリング１５５により、筆記具本体１の後端に向かって（筆記芯１４が露出する先端とは反対側に向かって）弾性付勢される。連結具１５４は締具１５３の後方に位置しており、弾性付勢されたチャック１５１の外周により後方に押圧される締具１５３は連結具１５４の前向面に当接する。
【００３１】
芯容器１５２は未使用の筆記芯１４を貯蔵し、チャック１５１は筆記具本体１の軸筒１２の先端部から突出する筆記芯１４をくわえ込んで保持する。また、軸筒１２の先端部を構成する口金１２４の内周に、チャック１５１が保持する筆記芯１４と係合する弾性材料（ゴム）製造の芯ホルダ１５６を設けている。筆記者の操作により、芯容器１５２及びチャック１５１がスプリング１５５の弾性付勢力に抗って筆記具本体１の先端に向かって前進すると、チャック１５１が保持する筆記芯１４が所定量前進した後、チャック１５１の先端部が締具１５３から脱出して拡開し、チャック１５１による筆記芯１４の保持が解かれる。このとき、芯ホルダ１５６が筆記芯１４を保定し、筆記芯１４の落下を抑止する。しかる後、スプリング１５５の弾性付勢力により芯容器１５２及びチャック１５１が後退すると、拡開していたチャック１５１の先端部が締具１５３により窄まり、チャック１５１が再び筆記芯１４をくわえ込んで保持する。
【００３２】
その上で、図３ないし図５に示すように、シャープペンシルの機構１５の要素である、軸心Ｌ方向に沿って伸長する芯容器１５２の外周に、変換手段２たるピエゾ素子を接触させて配置する。このピエゾ素子２は、直接には筆記芯１４に接触しないが、他の部材即ち機構１５の要素であるチャック１５１及び芯容器１５２を介して間接的に筆記芯１４に接触することとなる。これにより、筆記の際に生じる振動を、筆記芯１４に接触している機構１５（のチャック１５１及び芯容器１５２）を介してピエゾ素子２に伝達することができる。
【００３３】
ボールペンの例である上記実施形態では、筆記芯１１または筆記芯１１に接触する部材に、他の部分と比較して径方向に突出した拡径部１１１を形成し、変換手段たるピエゾ素子２をこの拡径部１１１に接触させるようにしていたが、筆記芯またはこれに接触する部材に拡径部を形成することは必須ではない。シャープペンシルの例では、薄板状をなすピエゾ素子２の中間部分を筆記芯１４に接触する部材である芯容器１５２の外周に接触させ、同ピエゾ素子２の両端部を軸筒１２の内周に接触させるようにして、当該ピエゾ素子２を軸筒１２内に配置している。図４に示す例では、芯容器１５２の外周に接触するピエゾ素子２が、径方向に沿った外方に向かって（若干ながら）反っている。翻って、図５に示す例では、ピエゾ素子２が、芯容器１５２の外周に接近するように、径方向に沿った内方に向かって（若干ながら）反っている。
【００３４】
ボールペンの例においても、筆記芯１１または筆記芯１１に接触する部材に拡径部１１１を形成せず、ピエゾ素子２の中間部分を筆記芯１１または筆記芯１１に接触する部材の外周に接触させ、同ピエゾ素子２の両端部を軸筒１２の内周に接触させるようにして、当該ピエゾ素子２を軸筒１２内に配置することが可能である。
【００３５】
筆記具が万年筆である場合には、その筆記芯がペン先（ニブ）１６及びペン芯１７を含んでおり、図６に示すように、変換手段２において筆記の際に生じる振動を受ける要素を、ペン先１６に接触させて配置することが好ましい。この場合の変換手段２は、軸筒内には収容されず（筆記具本体１に内蔵されず）に露出する。図６に示す例では、変換手段たるピエゾ素子２の両端部をペン先１６とペン芯１７とに跨るように設けている。そして、ピエゾ素子２の一方の端部をペン先１６に接触させつつ、他方の端部をペン芯１７にビスその他の止着具１８を用いて固着している。
【００３６】
シャープペンシルや万年筆の例における、増幅手段３及び音声出力手段４、放音孔１２３、遮蔽壁１３、リードスイッチ６、キャップ７等の構成は、ボールペンの例である上記実施形態と同様とすることができるので、ここでは説明を割愛する。
【００３７】
変換手段として、ピエゾ素子以外の種類のマイクロフォン、例えばムービングコイル型やリボン型のダイナミックマイク、コンデンサマイク、電荷蓄積型マイク（エレクトレットコンデンサマイク）、カーボンマイク、シリコンマイク（コンデンサ型シリコンマイク、電荷蓄積型シリコンマイク）等を採用することも考えられる。また、近時、ＭＥＭＳ（Ｍｉｃｒｏ  Ｅｌｅｃｔｒｏ  Ｍｅｃｈａｎｉｎｃａｌ  Ｓｙｓｔｅｍｓ）技術の進展に伴い、ＭＥＭＳマイクロフォンと呼ばれる超小型シリコンマイクロフォンが登場しており、これを変換手段として用いることもできる。何れにせよ、当該マイクロフォンにおいて振動を受ける要素（振動板若しくはダイヤフラム、または電極）を筆記芯または筆記芯に接触する部材に接触させておき、筆記の際に生じる振動を空気を介することなく変換手段に伝達させるようにすることは言うまでもない。バイアス電圧を必要とする方式のマイクロフォンを採用する場合には、筆記具本体に搭載された電池から必要な電力の供給を受けることとなる。
【００３８】
さらに、ＭＥＭＳマイクロフォンモジュールには、マイクロフォンの後段に接続する増幅回路であるアンプが一体化しているものもあり、これを採用する場合、当該マイクロフォンモジュールが変換手段と増幅手段とを兼ねることができる。
【００３９】
上記実施形態では、電池５から増幅手段３に（必要であれば、変換手段にも）電力を供給するための電気回路を開閉するためのスイッチとしてリードスイッチ６を筆記具本体１の軸筒１２に設けるとともに、軸筒１２の後端部に装着可能なキャップ７に磁石７１を設けて、キャップ７を軸筒１２の後端部に装着したときにリードスイッチ６が導通状態となり電力供給がなされるようにしていた。しかしながら、電気回路を開閉するためのスイッチは、リードスイッチ６には限定されない。手動で操作可能な既製のスイッチデバイスを筆記具本体に搭載し、そのスイッチを操作することで電気回路を開閉し、ひいては筆記音のフィードバック機能のＯＮ／ＯＦＦを切り替えられるように構成してもよい。例えば、一度ボタンを押すとＯＮとなりその状態が維持されるとともに、もう一度ボタンを押すとＯＦＦとなるような押ボタンスイッチであるオルタネイト動作型プッシュスイッチを筆記具本体の軸筒の後端に露出させて設け、このプッシュスイッチを介して電気回路を開閉するものとすれば、既存のノック式ボールペンに似た感覚で筆記音のフィードバック機能のＯＮ／ＯＦＦを切り替えることができる。筆記具がサイドノック式のシャープペンシルである場合にも、オルタネイト動作型プッシュスイッチを筆記具本体の軸筒の後端に設けることが可能である。
【００４０】
タイマ機能付きの電源遮断用スイッチ回路を、筆記具本体に実装しても構わない。図７に、そのようなスイッチ回路を含む電気回路の一例を示す。当該スイッチ回路における二つの端子９１、９２は、筆記具本体の軸筒における、これを把持して筆記を行う筆記者の手指が触れる部位に配置する。筆記者の手指が二つの端子９１、９２に接触し、これら端子９１、９２間が短絡されると、キャパシタが充電され、電気回路が閉じて電池５から増幅手段３に（必要であれば、変換手段にも）電力を供給することができる。そして、筆記者の手指が端子９１、９２から離反し、両端子９１、９２間が開放されたとしても、一定の時間は電池５から増幅手段３への電力供給が維持される。両端子９１、９２間が開放された後、一定時間が経過すると、キャパシタが放電しその電圧が低下することで電気回路が開き、電池５から増幅手段３への電力供給が遮断される。
【００４１】
タイマ機能付きの電源遮断用スイッチ回路として、小型のマイクロコントローラ（マイコン）を使用し、端子から筆記者の手指が離れた後電池から増幅手段への電力供給が遮断されるまでのタイマ時間を任意に設定可能なディジタル方式の回路を実装することも可能である。
【００４２】
電気回路を開閉するためのスイッチを筆記具本体１の軸筒１２内に内蔵したい場合には、以下に例示するような構造を採用することが考えられる。筆記具がいわゆるカーン式ノック機構を備えたノック式ボールペンであるとき、図８及び図９に示すように、そのノック機構は、筆記具本体１の軸筒１２の後端部にあって筆記者の手指による押下操作を受けて筆記具本体１の軸心Ｌ方向に沿って前後動（上下動）するノック棒８１と、ノック棒８１に対して加えられた押圧力の伝達を受けて軸筒１２内で軸心Ｌ回りに回動しながら前後動する回転子８２と、軸筒１２の内周に設けられ軸心Ｌ回りに回動する回転子８２と係合して回転子８２の軸心方向に沿った位置を保定する中駒（カム筒）１２４と、ノック棒８１、回転子８２及び筆記芯たるリフィル１１を筆記具本体１の後端に向けて弾性付勢するスプリング（図示せず）とを要素として成立する。ノック棒８１は、軸心Ｌ回りに回動することはないが、回転子８２と係合して回転子８２の軸心Ｌ方向に沿った進退及び軸心Ｌ回りの回転を惹起する。
【００４３】
図８に示すように、ノック棒８１が軸筒１２の後端からより大きく突出する突出位置にあるときに、筆記者がノック棒８１を押下するノック操作を行うと、ノック棒８１及びこれと係合する回転子８２が筆記具の先端に向かって移動し、リフィル１１を前進させてその先端部を軸筒１２の先端から突出させる。しかる後、筆記者がノック棒８１に対して加えている押下操作力を緩めると、スプリングにより弾性付勢されているノック棒８１、回転子８２及びリフィル１１が筆記具の後端に向かってやや後退するが、回転子８２と係合する中駒１２４が回転子８２のそれ以上の後退を抑止し、その結果として、リフィル１１の先端部が軸筒１２の先端から突出した状態を維持するように回転子８２及びリフィル１１が保定される。
【００４４】
図９に示すように、リフィル１１の先端部が軸筒１２から突出し、ノック棒８１が軸筒１２内により深く進入した進入位置にあるときに、使用者が再度ノック棒８１を押下するノック操作を行うと、ノック棒８１、回転子８２及びリフィル１１が筆記具の先端に向かってやや前進する。しかる後、使用者がノック棒８１に対して加えている押下操作力を緩めると、スプリングにより弾性付勢されているノック棒８１、回転子８２及びリフィル１１が筆記具の後端に向かって移動する。その過程で、中駒１２４による回転子８２及びリフィル１１の保定が解除されて、図８に示しているように、ノック棒８１が突出位置に復帰するとともに、筆記芯１の先端部が軸筒１２内に没入する。
【００４５】
つまりは、リフィル１１の先端部が軸筒１２内に没入する突出位置と、リフィル１１の先端部が軸筒１２外に突出する進入位置との間で、ノック棒８１、回転子８２及びリフィル１１が変位する。これら部材１１、８１、８２が進入位置に至る際に当該部材１１、８１、８２の何れかと係合するスイッチ９３を軸筒１２内に設置しておけば、筆記者が筆記を行うとき即ちリフィル１１の先端部が軸筒１２外に突出したときに電気回路を閉じて電池から増幅手段に（必要であれば、変換手段にも）電力を供給し、筆記者が筆記を行わないとき即ちリフィル１１の先端部が軸筒１２内に没入したときに電気回路を開いて電力の供給を停止することができる。スイッチ９３は、ボタンを押している間ＯＮとなりボタンが押されていない間はＯＦＦとなるスイッチとなるような押ボタンスイッチであるモーメンタリ動作型プッシュスイッチであったり、ノック棒８１、回転子８２またはリフィル１１の何れかに連動して軸筒１２内で往復スライド動作するスライドスイッチであったりする。
【００４６】
筆記具がシャープペンシルであるときには、図１０に示すように、筆記者による筆記芯１４を繰り出すためのノック操作に伴い運動する部材、例えば芯容器１５２等と係合するスイッチ９４を軸筒１２内に設置しておき、当該スイッチ９４により電気回路を開閉することが考えられる。スイッチ９４は、例えばモーメンタリ動作型プッシュスイッチである。このプッシュスイッチ９４を、図７に示している電気回路の端子９１と端子９２との間に、これら両端子９１、９２を繋ぐように配置すれば、筆記者がノック操作を行ったときにスイッチ９４が一瞬だけ導通状態となり、その結果として電気回路が閉じ、電池５から増幅手段３に（必要であれば、変換手段にも）電力を供給して筆記音のフィードバックが開始されるようになる。なお、既に述べた通り、一旦電気回路が閉じると、スイッチ９４による導通か解除されたとしても（端子９１と端子９２との間が開放されたとしても）一定時間は電気回路が閉じた状態に維持されて電池５から増幅手段への電力の供給が継続される。最後にノック操作が行われた後、一定時間が経過すると、電気回路が開き、電池５から増幅手段への電力の供給が停止される。
【００４７】
筆記具が回転式のボールペンであるときには、軸筒１２が複数個の部品に分割されており、一方の部品１２１に対して他方の部品を相対的に軸心Ｌ回りに回動させることで筆記芯であるリフィル１１を軸筒１２の先端から突出させることができる。このような回転式のボールペンにあっては、図１１に示すように、回動操作された何れかの部品１２１と係合するスイッチ９５を軸筒１２内に設置しておき、当該スイッチ９５により電気回路を開閉することが考えられる。スイッチ９５は、例えばモーメンタリ動作型プッシュスイッチである。
【００４８】
増幅手段に必要な電力を供給するために筆記具本体に搭載する電池として、一次電池（乾電池）ではなく、再充電可能な二次電池や、光エネルギを電力に変換する太陽電池を採用することも当然に可能である。二次電池を用いる場合には、筆記具本体に、当該二次電池に充電を行う際に電源と電気的に接続するための電極またはインタフェース（例えば、マイクロＵＳＢ（Ｕｎｉｖｅｒｓａｌ  Ｓｅｒｉａｌ  Ｂｕｓ）端子）等を予め設けておくことも好ましい。
【００４９】
加えて、筆記具本体の軸筒に穿った放音孔の開口面積を拡縮させる機構を筆記具本体に設け、放音孔の開口面積の拡縮を通じて、筆記者の耳に届く筆記音の大きさを増減させるボリューム調節機能を具現することも考えられる。
【００５０】
その他、各部の具体的構成は、本発明の趣旨を逸脱しない範囲で種々変形が可能である。
【産業上の利用可能性】
【００５１】
本発明は、筆記を行うための筆記具に適用できる。
【符号の説明】
【００５２】
１…筆記具本体
１１…筆記芯
１１１…拡径部
１２…軸筒
１２３…放音孔
１３…遮蔽壁
２…変換手段
３…増幅手段
４…音声出力手段
【図１】
2018167460.tif 000003
【図２】
2018167460.tif 000004
【図３】
2018167460.tif 000005
【図４】
2018167460.tif 000006
【図５】
2018167460.tif 000007
【図６】
2018167460.tif 000008
【図７】
2018167460.tif 000009
【図８】
2018167460.tif 000010
【図９】
2018167460.tif 000011
【図１０】
2018167460.tif 000012
【図１１】
2018167460.tif 000013